(57)【要約】【課題】過去の視聴履歴に基づく番組推薦機能を持つＴＶを複数ユーザで共有している場合に、視聴中の人物を特定し、その嗜好や必要性にあわせた番組推薦を行うことを可能とする。【解決手段】デジタルＴＶの字幕機能の使用の有無により、異なった方法で推薦番組の決定を行う。すなわち、優先順位付きの候補番組グループを過去の視聴履歴から選び出すが、その中から最終的な推薦番組を決定するために、字幕機能を使用中であれば、字幕情報が付属する番組を選択し、使用中でなければ、候補番組グループ内の優先順位に従った決定を行う。【選択図】図１
2007214869.tif 000002
【特許請求の範囲】
【請求項１】
番組情報を抽出する手段と、視聴番組履歴からユーザが嗜好するキーワード抽出手段と、前記の番組情報とキーワードから候補番組を選択する手段と、視聴中のユーザを特定する手段と、前記の候補番組から視聴中ユーザの嗜好や必要性に最も近い番組を選択する手段を持つ推薦番組表示装置。
【請求項２】
番組情報を抽出する工程と、視聴番組履歴からユーザが嗜好するキーワード抽出工程と、前記の番組情報とキーワードから候補番組を選択する工程と、視聴中のユーザを特定する工程と、前記の候補番組から視聴中ユーザの嗜好や必要性に最も近い番組を選択する工程を持つ推薦番組表示方法。
【請求項３】
前記視聴中ユーザの特定手段は字幕表示機能の使用状況により判断する手段とする請求項１の推薦番組表示装置。
【請求項４】
前記視聴中ユーザを特定するための工程は字幕表示機能の使用状況で判断する工程である請求項２の推薦番組表示方法。
【発明の詳細な説明】
【技術分野】
【０００１】
本発明はデジタルＴＶの多チャンネル化に伴い、ユーザの好みに応じた番組を推薦することで利便性の向上を図るための方法、および装置である。
【背景技術】
【０００２】
ＢＳデジタル放送や地上デジタル放送などを受信できるデジタルＴＶの普及に伴い、一般家庭で視聴できるチャンネルが増加している。このため、デジタルＴＶには放送波やインターネット経由で放送予定の番組データを取得し、一覧表示する電子番組表の機能が用意されている。しかし、番組の多チャンネル化が原因で、視聴者が希望する番組を探し出すまでの手順も増加し、最終的に見逃してしまうケースが想定できる。このため、希望する番組を従来よりも少ない手順で探しだせるようにすることが、デジタルＴＶの機能として要求されている。
【０００３】
この要求を実現する一つの手段が特開平９−８３８９１号公報で述べられている。この中で使われている手段はユーザが過去に視聴した番組から、ユーザの好みに応じたチャンネルの優先順位を決定し、優先度の高い順にユーザに提示するものである。また、過去の視聴番組の学習をユーザ毎や時間帯毎に行うことで、更に肌理の細かいチャンネルの優先順位の決定を行うことができるものである。
【０００４】
また、別の手段の一例として松下電器産業株式会社が２００５年に発売したデジタルＴＶのＰＸ５００シリーズに搭載された“おすすめ番組機能”が挙げられる。この中で使われている手段は普段ユーザが視聴している番組に付属する番組情報から出演者名やジャンル情報などのキーワードを抽出、優先順位付けしたデータベースを作成する。最新の番組情報に対して、先に順位付けされたキーワードでの検索を行った結果をおすすめ番組としてユーザに提供できる機能である。
【０００５】
このようにユーザの視聴履歴を利用して、それぞれの嗜好にあわせたチャンネルや番組を推薦する技術が利用されている。
【特許文献１】特開平９−８３８９１号公報
【発明の開示】
【発明が解決しようとする課題】
【０００６】
こうしたユーザの視聴履歴に基づく番組推薦機能に対して、一台のＴＶを家族で一緒に視聴している、など複数ユーザで共有している場合、個人でなくユーザ全体の視聴嗜好に基づいた番組の推薦が行われることになる。個人を特定した番組推薦機能を実現するために前述の特開平９−８３８９１号公報では各人が視聴毎にユーザ登録を行うことでユーザ別の視聴履歴情報を作成し、その情報を基に優先順位の高いチャンネルの表示を行う機能を提案している。しかしながら、視聴を開始するたびにユーザを特定するための操作を必要とするため利便性が落ちてしまう。
【０００７】
このように複数ユーザで共有しているＴＶにおいて、視聴中の人物の嗜好にあわせた番組の推薦を容易に行うことが課題となっている。
【課題を解決するための手段】
【０００８】
上記の課題を解決するための本発明は、番組情報を抽出する手段と、視聴番組履歴からユーザが嗜好するキーワード抽出手段と、前記の番組情報とキーワードから候補番組を選択する手段と、視聴中のユーザを特定する手段と、前記の候補番組から視聴中ユーザの嗜好や必要性に最も近い番組を選択する手段を持つ推薦番組表示装置であって、視聴中の人物を特定するための一つの手段としてデジタルＴＶの字幕機能の使用の有無を利用するものである。たとえば、ＴＶを共有しているユーザの中に聴覚に障害を持つユーザがいる場合、字幕機能の使用状況によりそのユーザが視聴中であると判断することが可能である。この時、推薦番組を決定するのに、まずユーザの視聴履歴に基づき候補番組のピックアップを行った上で、候補番組の中で字幕情報を持つ番組をユーザに推薦する。逆にオフ設定の場合には候補番組間の優先順位に従って推薦番組を決定する。
【０００９】
以上の本発明により、聴覚障害者など字幕機能を利用するユーザにとって最適な番組の選択を行うことが可能となる。
【発明の効果】
【００１０】
本発明により複数ユーザが使用するデジタルＴＶで、特定の機能の使用の有無で視聴中のユーザを判断し、より適切な番組の推薦を行うことが可能となる。
【発明を実施するための最良の形態】
【００１１】
（実施の形態１）
以下、推薦番組表示装置について図面を参照しながら説明する。
【００１２】
図１に示すように、推薦番組表示装置（１００）は放送局からのデジタル放送波をアンテナと接続されているチューナ（１０２）で受信する。チューナから取り出されたストリームからＳＩ／ＰＳＩ抽出部（１０４）は放送番組の番組情報の抽出を行い、ＳＩ／ＰＳＩファイル（１１０）に蓄積する。ユーザが視聴した番組に対応する番組情報をＳＩ／ＰＳＩファイル（１１０）から取り出し、キーワードを抽出して、ユーザ視聴履歴記録部（１０６）に蓄積していく。蓄積したキーワードを含む番組の視聴実績が増えることで、そのキーワードの優先順位は上がると共に、この順位情報もユーザ視聴履歴記録部（１０６）に記録されていく。たとえば、“野球”をキーワードに持つ番組を１０回、“相撲”をキーワードに持つ番組を２回、“自動車”をキーワードに持つ番組を５回、それぞれ視聴した場合には、“野球”、“自動車”、“相撲”の順番（降順）で優先度をユーザ嗜好テーブルを作成することができる。あるいは、視聴回数ではなく視聴時間に基づいた優先度決定が可能である。更には回数や視聴時間に依存しない方法での優先度付けも可能である。
【００１３】
このようにしてユーザの過去の視聴傾向から作成されるユーザ嗜好テーブルを保持するユーザ視聴履歴情報部（１０６）と数日中に放送される予定の番組情報を保持するＳＩ／ＰＳＩファイル（１１０）を利用して推薦番組候補計算部（１０８）は幾つかの番組を候補として候補番組一覧テーブルを作成する。推薦番組決定部（１１４）は候補番組一覧テーブルと字幕表示設定記録部（１１２）から得られる字幕機能の使用状況により推薦番組を決定し、表示部（１１６）を通してユーザに推薦する番組を知らせることができる。
【００１４】
この推薦番組の決定までの具体例を図２ないし図６までを用いて説明する。図２の番組情報一覧（２０２）はＳＩ／ＰＳＩファイル（１１０）に保持されている放送予定の番組情報である。この番組情報の中には番組名（２０４）、字幕情報（２０６）、出演者名（２０８）、ジャンル情報（２１０）が含まれている。図３および図５のユーザ嗜好順位テーブル（３０２、５０２）はユーザの視聴履歴から予め作成されてユーザ視聴履歴情報部（１０６）に記録されている。このテーブルは嗜好順位（３０４）とキーワード（３０６）で構成されている。キーワード（３０６）を用いて番組情報一覧（２０２）から候補番組の選択を行うが、選択時の検索対象は出演者名（２０８）とジャンル情報（２１０）である。図４および図６の候補番組一覧テーブル（４０２、６０２）は推薦番組候補計算部（１０８）がキーワード検索で作成するテーブルである。このテーブルは候補順位（４０４）と番組名（４０６）と字幕情報（４０８）で構成され候補番組は３個挙げる設定とする。
【００１５】
一つめの具体例を図４を用いて説明する。図３のユーザ嗜好順位テーブル（３０２）での検索により作成された候補番組一覧テーブル（４０２）において、字幕付きの候補番組は順位が３番目の“サッカーＴＶワイド”のみである。この時、字幕表示設定記録部（１１２）に記録されている字幕機能の使用設定がオンの場合、推薦番組決定部（１１４）は候補順位（４０４）が３番目ではあるが、字幕情報が存在するので推薦番組として決定する。反対に字幕機能の使用設定がオフの場合、候補順位（４０４）通りに“全日本シリーズ  大阪×千葉”を推薦番組とする。
【００１６】
二つ目の具体例は図６を用いて説明する。図５のユーザ嗜好順位テーブル（５０２）での検索により作成された候補番組一覧テーブル（６０２）において、字幕付きの候補番組は存在しない。この時、字幕表示設定記録部（１１２）に記録されている字幕機能の使用設定がオンの場合、推薦番組決定部（１１４）は字幕情報を持つ候補番組を探してみるが、該当する番組が存在しないので、候補順位通りに“全日本シリーズ  大阪×千葉”を推薦番組とする。また字幕機能の使用設定がオフの場合も候補順位通りに“全日本シリーズ  大阪×千葉”を推薦番組とする。
【００１７】
なお本発明は推薦番組の最終的な決定に字幕機能の使用状況を用いたが、この機能以外にも年齢層や性別などを特定できる機能を利用することも考えられる。たとえば、年齢による視聴制限機能を設定している状態で、パスワードなどの入力で制限解除を行ったとする。この場合、パスワードを知っている視聴制限以上の年齢のユーザが視聴中であると判断して、子供向けの番組は推薦しないようにできる。
【００１８】
なお本発明は複数ユーザが使用するデジタルＴＶでの環境を前提としたが、単独ユーザが字幕機能を時々使用するなどの環境でも有効である。
【００１９】
なお図１におけるチューナ（１０２）は、たとえばインターネットとの接続を行うためのネットワークカードなどに置き換えて考えることも可能である。
【００２０】
なお、本発明はＴＶだけでなく番組情報をユーザに提供する機能を持つビデオ・テープ・レコーダーやＤＶＤレコーダーなどの録画機器やパソコンなどにおいても利用することができる。
【産業上の利用可能性】
【００２１】
本発明の推薦番組表示装置は複数ユーザが使用するデジタルＴＶで、特定の機能の使用の有無により視聴中のユーザを判断し、より適切な番組の推薦を行うことが可能となる効果を有しており、ユーザの利便性の向上を図る等の点で有用である。
【図面の簡単な説明】
【００２２】
【図１】本発明の実施の形態１における推薦番組表示装置の構成を示すブロック図
【図２】本発明の実施の形態１における数日中に放送予定の番組の番組情報の一例を示す図
【図３】本発明の実施の形態１におけるユーザ嗜好順位のパターン１を示す図
【図４】本発明の実施の形態１における候補番組一覧のパターン１を示す図
【図５】本発明の実施の形態１におけるユーザ嗜好順位のパターン２を示す図
【図６】本発明の実施の形態１における候補番組一覧のパターン２を示す図
【符号の説明】
【００２３】
１００    推薦番組表示装置
１０２    チューナ
１０４    ＳＩ／ＰＳＩ抽出部
１０６    ユーザ視聴履歴記録部
１０８    推薦番組候補計算部
１１０    ＳＩ／ＰＳＩファイル
１１２    字幕表示設定記録部
１１４    推薦番組決定部
１１６    表示部
２０２    番組情報一覧
２０４    番組名
２０６    字幕情報
２０８    出演者名
２１０    ジャンル情報
３０２    ユーザ嗜好順位テーブル
３０４    嗜好順位
３０６    キーワード
４０２    候補番組一覧テーブル
４０４    候補順位
４０６    番組名
４０８    字幕情報
５０２    ユーザ嗜好順位テーブル
６０２    候補番組一覧テーブル
【図１】
2007214869.tif 000003
【図２】
2007214869.tif 000004
【図３】
2007214869.tif 000005
【図４】
2007214869.tif 000006
【図５】
2007214869.tif 000007
【図６】
2007214869.tif 000008